(57)【要約】【課題】接木した苗木の効率的な生産および活着率の向上を図る。【解決手段】穂木１０１の切断面１０１１がＶ字、台木１０４の切断面１０４１は、従来はＹ字であったのを、本発明では、（ａ）で示すように、長辺の切れ目（第１の溝）１０４７および短辺の切れ目（第２の溝）１０４８を形成した後、不要な上部１０４９を切除することで、（ｂ）で示すｙ字にする。したがって、綺麗な切断面を得るために１枚の薄い刃物で切断する場合に、Ｙ字の３工程に対して、本発明では２工程で済ませられる。これによって、接木した苗木を効率的に生産できる。また、穂木１０１が太い場合、（ｃ）で示すようにＶ字の底からの切れ込み１０４２で、上部は穂木の径に合った分だけ２つに裂かれ、円弧状の外縁部分１０１１ａまで覆い、しかもｙ字の切れ込みが深い側１０４４の切断面は捲り上がることなく密着し、一部の師管を連通させ、活着率を向上できる。【選択図】図２
2013215165.tif 000002
【特許請求の範囲】
【請求項１】
茎または胚軸の下端部が側面視でＶ字状に切断された穂木と、
茎または胚軸の上端部が側面視でｙ字状に切断された台木とが接合されて成ることを特徴とする苗木。
【請求項２】
茎または胚軸の一方の側から、該茎または胚軸の中心軸線と予め定める角度で交差するように、上方から下方に向けて、前記中心軸線を超えて切れ込まれた第１の溝と、
前記中心軸線に対して前記茎または胚軸の一方とは反対の側において、前記第１の溝と上下方向に略等しい位置から、該茎または胚軸の中心軸線と前記予め定める角度で交差するように、上方から下方に向けて、前記中心軸線付近まで切れ込まれた第２の溝とを有し、
前記第１および第２の溝で切り離された部分を切除して成ることを特徴とする接木用の台木。
【請求項３】
接木用の台木の上部を処理する方法において、
前記台木の一方の側から、刃物の刃先が茎または胚軸の中心軸線と予め定める角度で交差するように、上方から下方に向けて、前記中心軸線を超えて切れ込ませる第１の工程と、
前記台木の一方とは反対の側において、前記第１の工程と上下方向に略等しい位置から、前記刃先が前記茎または胚軸の中心軸線と前記予め定める角度で交差するように、上方から下方に向けて、前記中心軸線付近まで切れ込ませる第２の工程とを含み、
前記台木の上部に、ｙ字状の切れ込みを形成することを特徴とする接木用台木処理方法。
【請求項４】
前記予め定める角度は、略１５度であることを特徴とする請求項３記載の接木用台木処理方法。
【請求項５】
前記刃物は、厚みが略０．１５ｍｍの薄板状であることを特徴とする請求項４記載の接木用台木処理方法。
【発明の詳細な説明】
【技術分野】
【０００１】
本発明は、接木用の台木を処理する方法に関し、また処理された台木およびそれを用いた苗木に関する。
【背景技術】
【０００２】
近年、接木は、果樹に限らず、野菜や花卉など、非常に幅広く用いられるようになっており、効率的な大量生産と、接木の活着率の向上とが課題となっている。その活着率の向上を目指した台木処理の従来技術は、たとえば特許文献１に示されている。その従来技術によれば、図３（ａ）で示すように、穂木１０１の切断面１０１１を側方から見ると、従来から用いられているＶ字状であるが、台木の切断面の側方視は、図４（ａ）で示す台木１０２のような、従来のＶ字状ではなく、図５（ａ）で示す台木１０３のような、Ｙ字状となっている。図３（ｂ）、図４（ｂ）および図５（ｂ）は、それぞれ図３（ａ）、図４（ａ）および図５（ａ）を、茎または胚軸の中心軸線回りに９０度回転させた位置からの側方視である。このようなＶ字状やＹ字状の切断面１０１１，１０２１，１０３１は、特に茄子科の植物に対して適用される。
【０００３】
したがって、台木１０３の上部の切れ込みを図５（ａ）で示すようなＹ字状に形成することで、Ｖ字の底から延長された切れ込み１０３２によって、台木１０３の上部側の両側部１０３３，１０３４は、拡がり易くなり、図４（ａ）で示すＶ字状に比べて、穂木１０１の差し込み抵抗を小さくし、確実に差し込むことができるようになっている。
【０００４】
また、台木１０２，１０３に比べて、穂木１０１が太い場合、Ｖ字の切れ込みでは、図６（ａ）で示すように、穂木１０１の切断面１０１１における円弧状の外縁部分１０１１ａがほぼ全周に亘って、台木１０２の両側部１０２３，１０２４からはみ出すことになる。これに対して、Ｙ字の切れ込みでは、Ｖ字の底から延長された切れ込み１０３２によって、台木１０３の両側部１０３３，１０３４は、穂木１０１の径に合った分だけ２つに裂かれ、前記円弧状の外縁部分１０１１ａまで、台木１０３の切断面１０３１で覆うことができるようになっている。
【先行技術文献】
【特許文献】
【０００５】
【特許文献１】特開２００４−１９４５４４号公報
【発明の概要】
【発明が解決しようとする課題】
【０００６】
しかしながら、上述の従来技術では、特殊な切断面１０３１であるので、このＹ字の切断面１０３１を、前記特許文献１のような３枚の刃が一体になった刃物を用いて１回の工程で切断するには、特に切れ込み１０３２の部分が潰れ、綺麗な切断面を得られないという問題がある。この点、刃を薄くすると潰れる度合いは小さくできるが、刃が繊維に負け、切断面１０３１が曲がってしまうという問題がある。そこで、１枚の刃で順次切断すると、３工程必要になり、時間が掛かることになる。
【０００７】
また、穂木１０１の先端１０１２が前記延長された切れ込み１０３２の部分に嵌り込むと、図７で示すように、その延長された切れ込み１０３２の切断面１０３２ａ，１０３２ｂを両側に略均等に押し広げる（逃がす）ことになる。そのため、前記台木１０３の切断面１０３１の先端１０３５側が、前記穂木１０１の切断面１０１１における円弧状の外縁部分１０１１ａと密着せず（捲り上がり）、維管束を構成する道管と師管との内、外周側の師管が台木１０３から外れ、活着性が低下するという問題がある。
【０００８】
本発明の目的は、接木した苗木の効率的な生産および活着率の向上を図ることができる苗木ならびに接木用の台木および接木用台木処理方法を提供することである。
【課題を解決するための手段】
【０００９】
本発明の苗木は、茎または胚軸の下端部が側面視でＶ字状に切断された穂木と、茎または胚軸の上端部が側面視でｙ字状に切断された台木とが接合されて成ることを特徴とする。
【００１０】
また、本発明の接木用の台木は、茎または胚軸の一方の側から、該茎または胚軸の中心軸線と予め定める角度で交差するように、上方から下方に向けて、前記中心軸線を超えて切れ込まれた第１の溝と、前記中心軸線に対して前記茎または胚軸の一方とは反対の側において、前記第１の溝と上下方向に略等しい位置から、該茎または胚軸の中心軸線と前記予め定める角度で交差するように、上方から下方に向けて、前記中心軸線付近まで切れ込まれた第２の溝とを有し、前記第１および第２の溝で切り離された部分を切除して成ることを特徴とする。
【００１１】
さらにまた、本発明の接木用台木処理方法は、接木用の台木の上部を処理する方法において、前記台木の一方の側から、刃物の刃先が茎または胚軸の中心軸線と予め定める角度で交差するように、上方から下方に向けて、前記中心軸線を超えて切れ込ませる第１の工程と、前記台木の一方とは反対の側において、前記第１の工程と上下方向に略等しい位置から、前記刃先が前記茎または胚軸の中心軸線と前記予め定める角度で交差するように、上方から下方に向けて、前記中心軸線付近まで切れ込ませる第２の工程とを含み、前記台木の上部に、ｙ字状の切れ込みを形成することを特徴とする。
【００１２】
上記の構成によれば、台木の上部の切れ込みを第１および第２の溝によってｙ字状に形成することで、Ｙ字と同様に、Ｖ字に比べて、穂木の差し込み抵抗を小さくし、確実に差し込むことができる。一方、台木に比べて、穂木が太い場合、Ｖ字の切れ込みでは、穂木の切断面における円弧状の外縁部分がほぼ全周に亘って台木からはみ出すことになる。これに対して、Ｙ字およびｙ字の切れ込みでは、Ｖ字の底から延長された切れ込みで、台木の上部は、穂木の径に合った分だけ２つに裂かれ、前記円弧状の外縁部分まで台木の切断面で覆うことができるようになる。
【００１３】
しかしながら、Ｙ字の場合、綺麗な切断面を得るために１枚の刃物で切断を行う場合、３工程必要になる。これに対して、本願発明のようにｙ字の場合、２工程で済ませることができる。これによって、接木した苗木を効率的に生産することができる。
【００１４】
また、Ｙ字の場合、穂木の先端が前記延長された切れ込みの部分に嵌り込むと、その延長された切れ込みの切断面を両側に略均等に押し広げる（逃がす）ことになる。そのため、前記台木の切断面の先端側が、前記穂木の円弧状の切断面における外縁部分と密着せず（捲り上がり）、維管束を構成する道管と師管との内、外周側の師管が台木から外れ、活着性が低下することになる。
【００１５】
これに対して、台木の上部の切れ込みをｙ字状に形成した場合、前記延長された切れ込みは中央から外周側に向かう斜線となり、穂木の先端がその斜線の部分に嵌り込むと、主にそのｙ字の切れ込みが浅い片側の切断面が押し広げられ（逃げ）ることになる。一方、ｙ字の切れ込みが深い側の切断面は（捲り上がることなく）そのまま起立しており、前記穂木の円弧状の切断面における外縁部分まで密着し、少なくとも一部の師管を連通させることができる。
【００１６】
これによって、接木した苗木の活着率を向上することができる。
【００１７】
また、本発明の接木用台木処理方法では、前記予め定める角度は、略１５度であることを特徴とする。
【００１８】
上記の構成によれば、穂木および台木のＶ字部分の切断面は、頂角が３０度となり、接合面があまり広くなりすぎず、すなわち活着率の低下を抑えながら、上述のような異径に対する適応性を確保することができる。
【００１９】
さらにまた、本発明の接木用台木処理方法では、前記刃物は、厚みが略０．１５ｍｍの薄板状であることを特徴とする。
【００２０】
上記の構成によれば、薄板状の刃物を使用することで、上述のような鋭角な３０度の頂角のＶ字の切断面から、延長された切れ込みを形成することができる。
【発明の効果】
【００２１】
本発明の苗木ならびに接木用の台木および接木用台木処理方法によれば、台木の切断面がｙ字のために、綺麗な切断面を得るために１枚の刃物で切断を行っても、切断を２工程で済ませられ、接木した苗木を効率的に生産することができるとともに、活着率を向上することができる。
【図面の簡単な説明】
【００２２】
【図１】本発明の実施の一形態に係る接木の分解斜視図である。
【図２】本発明の実施の一形態に係る接木の側面図である。
【図３】接木のために先端が処理された穂木の側面図である。
【図４】接木のために従来技術で先端が処理された台木の側面図である。
【図５】接木のために他の従来技術で先端が処理された台木の側面図である。
【図６】図４で示す台木を用いて、径の異なる穂木を接木した状態を示す側面図である。
【図７】図５で示す台木を用いて、径の異なる穂木を接木した状態を示す側面図である。
【発明を実施するための形態】
【００２３】
図１は、本発明の実施の一形態に係る接木１の分解斜視図である。この接木１は、本発明の実施の一形態に係る台木１０４に、旧来の穂木１０１が接合されて成る。前記台木１０４と穂木１０３との接合部分には、適宜クリップが装着されてもよい。前記穂木１０１については、旧来の通りであり、手作業または機械処理によって、下端部に前述の図３で示すような一側面視でＶ字状の切断面１０１１を有する。
【００２４】
これに対して、台木１０４は、手作業または機械処理によって、図２（ｂ）で示すように、上端部に、一側面視でｙ字状の切断面１０４１を有する。前記手作業の場合、台木１０４の処理には、剃刀やカッターの刃、或いはローラカッターなどを用いて行うことができる。そして、ｙ状の場合、図２（ａ）で示すように、台木１０４に対して、左側からの切れ目が浅く、右側からの切れ目が深く形成されることになる。そして、第１の工程として先に右側から前記ｙ字の長辺の切れ目（第１の溝）１０４７を入れ、次に第２の工程として左側から前記ｙ字の短辺の切れ目（第２の溝）１０４８を入れ、不要な上部１０４９を切除することで、台木１０４の上部に、前記図２（ｂ）で示すような前記ｙ字状の切断面１０４１を形成することができる。
【００２５】
前記機械処理の場合、台木１０４の上部付近を把持するチャック、前記剃刀やカッターの刃のような薄板状の１または２枚の刃物を用いて順次ｙ字の長辺の切れ目（第１の溝）１０４７およびｙ字の短辺の切れ目（第２の溝）１０４８を入れるアーム、および前記刃物の受けとなる部材などを備えて、台木処理装置を構成することができる。前記切れ目（溝）１０４７，１０４８は、前記刃物の、押し切り、引き切り、振り下ろしなどの何れか、或いはそれらの組合せで形成されてもよい。
【００２６】
このように台木１０４の上部の切れ込みをｙ字状に形成することで、Ｙ字と同様に、Ｖ字の底から延長された切れ込み１０４２によって、台木１０４の上部側の両側部１０４３，１０４４は、拡がり易くなり、Ｖ字に比べて、穂木１０１の差し込み抵抗を小さくし、確実に差し込むことができるようになる。
【００２７】
また、台木１０４に比べて、穂木１０１が太い場合でも、ｙ字の切れ込みでは、Ｖ字の底から延長された切れ込み１０４２によって、台木１０４の両側部１０４３，１０４４は、穂木１０１の径に合った分だけ２つに裂かれ、円弧状の外縁部分１０１１ａまで台木１０４の切断面１０４１で覆うことができるようになっている。
【００２８】
さらにまた、前記Ｙ字の切断面を形成する場合、綺麗な切断面を得るために１枚の刃物で切断を行おうとすると、３工程必要になるのに対して、本実施の形態のｙ字では、切れ目１０４７，１０４８をそれぞれ形成する２工程で済ませることができる。これによって、接木した苗木１を効率的に生産することができる。
【００２９】
また、Ｙ字の場合、穂木１０１の先端が前記延長された切れ込みの部分に嵌り込むと、その延長された切れ込みの切断面を両側に略均等に押し広げる（逃がす）ことになるのに対して、ｙ字の場合、前記延長された切れ込み１０４２は中央から外周側に向かう斜線となる。そのため、図２（ｃ）で示すように、穂木１０１の先端がその斜線の切れ込み１０４２の部分に嵌り込むと、主にそのｙ字の切れ込みが浅い左側の側部１０４３が押し広げられ（逃げ）ることになり、切れ込みが深い側の側部１０４４は（捲り上がることなく）そのまま起立しており、前記穂木１０１の切断面１０１１における円弧状の外縁部分１０１１ａまで密着し、少なくとも一部の師管を連通させることができる。これによって、接木の活着率も向上することができる。
【００３０】
また、前記切れ目（溝）１０４７，１０４８の角度を、図２（ｂ）で示すように、台木１０４の茎または胚軸の中心軸線となる上下（鉛直）方向ｚの軸線から±１５度だけ傾けることで、台木１０４のＶ字部分の切断面１０４１は、頂角が３０度となり、接合面があまり広くなりすぎず、すなわち活着率の低下を抑えながら、上述のような異径に対する適応性を確保することができる。
【００３１】
さらにまた、刃物には、厚みが略０．１５ｍｍの薄板状の刃物を使用することで、上述のような鋭角な３０度の頂角のＶ字の切断面１０４１から、延長された切れ込み１０４２を形成することができる。
【符号の説明】
【００３２】
１    苗木
１０１  穂木
１０４  台木
１０４１    ｙ字の切断面
１０４７    ｙ字の長辺の切れ目（第１の溝）
１０４８    ｙ字の短辺の切れ目（第２の溝）
【図１】
2013215165.tif 000003
【図２】
2013215165.tif 000004
【図３】
2013215165.tif 000005
【図４】
2013215165.tif 000006
【図５】
2013215165.tif 000007
【図６】
2013215165.tif 000008
【図７】
2013215165.tif 000009